(57)【要約】【課題】シールド機能の更なる向上を図ることができる電気コネクタおよびコネクタ装置を提供すること。【解決手段】実施形態に係る電気コネクタは、配線基板に取り付けられ、信号伝送媒体の端部に接続される相手コネクタと嵌合する。電気コネクタのシェルは、複数のコンタクトを介して互いに対向し且つ相手コネクタにおける導電性のグランド部材に接触する一対の壁部を有する。一対の壁部のうち信号伝送媒体から離れた位置にある一方の壁部は、一端が配線基板のグランド導電路に取り付けられ且つ一端から他端に向けて配線基板から離れる方向に延伸する第１側板と、一端が第１側板の他端に連結される連結部と、一端が連結部の他端に連結され且つ一端から他端に向けて配線基板に近づく方向に延伸し、他端が自由端である第２側板とを備える。第２側板は、配線基板から離れる方向に延伸し、相手コネクタのグランド部材に弾性接触する接触片を有する。【選択図】図８
2020107579.tif 000002
【特許請求の範囲】
【請求項１】
配線基板に取り付けられ、信号伝送媒体の端部に接続される相手コネクタと嵌合する電気コネクタであって、
絶縁性を有するハウジングと、
前記ハウジングに配列される導電性の複数のコンタクトと、
前記配線基板の主面に沿った方向であって前記複数のコンタクトの配列方向と直交する方向において前記複数のコンタクトを介して互いに対向し且つ前記相手コネクタにおける導電性のグランド部材に接触する一対の壁部を有する導電性のシェルと、を備え、
前記一対の壁部のうち前記信号伝送媒体から離れた位置にある一方の壁部は、
一端が前記配線基板のグランド導電路に取り付けられ且つ一端から他端に向けて前記配線基板から離れる方向に延伸する第１側板と、
一端が前記第１側板の他端に連結される連結部と、
一端が前記連結部の他端に連結され且つ一端から他端に向けて前記配線基板に近づく方向に延伸し、他端が自由端である第２側板と、を備え、
前記第２側板は、
前記配線基板から離れる方向に延伸し、前記相手コネクタの前記グランド部材に弾性接触する接触片を有する
ことを特徴とする電気コネクタ。
【請求項２】
前記第２側板は、
一端が前記連結部の他端に連結され且つ一端から他端に向けて前記配線基板に近づく方向に延伸し、他端が自由端である延伸部を有し、
前記接触片は、
一端が前記延伸部のうち前記延伸部の他端寄りの位置に連結され且つ一端から他端に向けて前記配線基板から離れる方向に延伸する
ことを特徴とする請求項１に記載の電気コネクタ。
【請求項３】
前記第２側板は、
前記第１側板と前記ハウジングとの間に配置される
ことを特徴とする請求項１または２に記載の電気コネクタ。
【請求項４】
前記接触片は、
前記配線基板の主面に沿った方向且つ前記配列方向と直交する方向において前記第１側板寄りの位置で前記相手コネクタの前記グランド部材に接触する接触部を有する
ことを特徴とする請求項１〜３のいずれか一つに記載の電気コネクタ。
【請求項５】
前記接触部は、
前記配線基板の主面と直交する方向において前記接触片のうち前記連結部の一端寄りに配置される
ことを特徴とする請求項４に記載の電気コネクタ。
【請求項６】
前記第１側板は、
前記配線基板の主面と直交する方向における前記連結部の一端寄りの位置であって前記相手コネクタの前記グランド部材と対向する位置に凹部を有し、当該凹部は、前記一対の壁部のうち他方の壁部に向かう方向に凹んでいる
ことを特徴とする請求項１〜５のいずれか一つに記載の電気コネクタ。
【請求項７】
複数の第１信号導電路と第１グランド導電路とを含む信号伝送媒体の端部に接続される第１コネクタと、
複数の第２信号導電路と第２グランド導電路とを含む配線基板に取り付けられる第２コネクタと、
を備え、
前記第１コネクタは、
絶縁性の第１ハウジングと、
前記第１ハウジングに配列され、前記複数の第１信号導電路のうち対応する第１信号導電路に各々接続される導電性の複数の第１コンタクトと、
前記第１グランド導電路に接続される導電性のグランド部材と、を備え、
前記第２コネクタは、
絶縁性を有する第２ハウジングと、
前記第２ハウジングに配列され、前記複数の第２信号導電路のうち対応する第２信号導電路に各々接続される導電性の複数の第２コンタクトと、
前記配線基板の主面に沿った方向であって前記複数の第２コンタクトの配列方向と直交する方向において前記複数の第２コンタクトを介して互いに対向し且つ前記グランド部材に接触する一対の壁部を有する導電性のシェルと、を備え、
前記一対の壁部のうち前記信号伝送媒体から離れた位置にある一方の壁部は、
一端が前記第２グランド導電路に取り付けられ且つ一端から他端に向けて前記配線基板から離れる方向に延伸する第１側板と、
一端が前記第１側板の他端に連結される連結部と、
一端が前記連結部の他端に連結され且つ一端から他端に向けて前記配線基板に近づく方向に延伸し、他端が自由端である第２側板と、を備え、
前記第２側板は、
前記配線基板から離れる方向に延伸し、前記グランド部材に弾性接触する接触片を有する
ことを特徴とするコネクタ装置。
【発明の詳細な説明】
【技術分野】
【０００１】
開示の実施形態は、電気コネクタおよびコネクタ装置に関する。
【背景技術】
【０００２】
従来、電子機器において、同軸ケーブル、フレキシブル・プリンテッド・サーキット（ＦＰＣ）またはフレキシブル・フラットケーブル（ＦＦＣ）などの信号伝送媒体を配線基板に電気的に接続するためのコネクタ装置が広く用いられている。かかるコネクタ装置は、信号伝送媒体の端部に接続される第１コネクタと、配線基板に接続される第２コネクタを含む。この種のコネクタ装置が用いられる電子機器では、電磁波の放射による電磁干渉などが問題になる場合があるため、コネクタ装置にシールド機能が設けられることがある。
【０００３】
例えば、特許文献１には、第１コネクタに設けられる導電性のシェルと、第２コネクタに設けられる導電性のシェルとで、複数の信号コンタクトを配列したハウジングを覆うコネクタ装置が開示されている。かかるコネクタ装置では、第１コネクタにおける導電性のグランド部材を第２コネクタの導電性のシェルに接触させる構成を有しており、かかる構成によってシールド機能を高めている。
【先行技術文献】
【特許文献】
【０００４】
【特許文献１】特開２００８−０９７８４９号公報
【発明の概要】
【発明が解決しようとする課題】
【０００５】
しかしながら、コネクタ装置が用いられる電子機器において送受信される信号の高周波化や動作頻度の増大などに伴って、コネクタ装置におけるシールド機能の更なる向上が求められている。
【０００６】
実施形態の一態様は、上記に鑑みてなされたものであって、シールド機能の更なる向上を図ることができる電気コネクタおよびコネクタ装置を提供することを目的とする。
【課題を解決するための手段】
【０００７】
実施形態の一態様に係る電気コネクタは、配線基板に取り付けられ、信号伝送媒体の端部に接続される相手コネクタと嵌合する電気コネクタであって、絶縁性を有するハウジングと、前記ハウジングに配列される導電性の複数のコンタクトと、導電性のシェルとを備える。前記導電性のシェルは、前記配線基板の主面に沿った方向であって前記複数のコンタクトの配列方向と直交する方向において前記複数のコンタクトを介して互いに対向し且つ前記相手コネクタにおける導電性のグランド部材に接触する一対の壁部を有する。前記一対の壁部のうち前記信号伝送媒体から離れた位置にある一方の壁部は、一端が前記配線基板のグランド導電路に取り付けられ且つ一端から他端に向けて前記配線基板から離れる方向に延伸する第１側板と、一端が前記第１側板の他端に連結される連結部と、一端が前記連結部の他端に連結され且つ一端から他端に向けて前記配線基板に近づく方向に延伸し、他端が自由端である第２側板と、を備える。前記第２側板は、前記配線基板から離れる方向に延伸し、前記相手コネクタの前記グランド部材に弾性接触する接触片を有する。
【発明の効果】
【０００８】
実施形態の一態様によれば、シールド機能の更なる向上を図ることができる電気コネクタおよびコネクタ装置を提供することができる。
【図面の簡単な説明】
【０００９】
【図１】図１は、実施形態に係るコネクタ装置におけるプラグコネクタおよびレセプタクルコネクタの一例を示す図である。
【図２】図２は、実施形態に係るプラグコネクタとレセプタクルコネクタとが嵌合した状態を示す図である。
【図３】図３は、実施形態に係るプラグコネクタの外観斜視図である。
【図４】図４は、実施形態に係るプラグコネクタの外観斜視図である。
【図５】図５は、実施形態に係るプラグコネクタの平面図である。
【図６】図６は、図５に示すVI−VI線に沿った断面図である。
【図７】図７は、図５に示すVII−VII線に沿った断面図である。
【図８】図８は、実施形態に係るレセプタクルコネクタの外観斜視図である。
【図９】図９は、実施形態に係るレセプタクルコネクタの外観斜視図である。
【図１０】図１０は、実施形態に係るレセプタクルコネクタの平面図である。
【図１１】図１１は、図１０に示すXI−XI線に沿った断面図である。
【図１２】図１２は、図１０に示すXII−XII線に沿った断面図である。
【図１３】図１３は、実施形態に係るプラグコネクタとレセプタクルコネクタとが嵌合した状態のコネクタ装置の平面図である。
【図１４】図１４は、図１３に示すXIV−XIV線に沿った断面図である。
【図１５】図１５は、図１３に示すXV−XV線に沿った断面図である。
【図１６】図１６は、実施形態に係るプラグコネクタとレセプタクルコネクタとが嵌合した状態のコネクタ装置の正面図である。
【発明を実施するための形態】
【００１０】
以下、添付図面を参照して、本願の開示する電気コネクタおよびコネクタ装置の実施形態を詳細に説明する。なお、以下に示す実施形態によりこの発明が限定されるものではない。
【００１１】
＜１．コネクタ装置の構成＞
まず、図１および図２を参照して実施形態に係るプラグコネクタおよびレセプタクルコネクタを含むコネクタ装置を説明する。
【００１２】
図１に示すように、実施形態に係るコネクタ装置１は、複数の同軸ケーブル２の端部が接続されるプラグコネクタ１０と、配線基板３に取り付けられるレセプタクルコネクタ２０とを備える。複数の同軸ケーブル２は、信号伝送媒体の一例である。なお、プラグコネクタ１０は、複数の同軸ケーブル２に代えて、フレキシブル・プリンテッド・サーキット（ＦＰＣ）またはフレキシブル・フラットケーブル（ＦＦＣ）などの信号伝送媒体の端部に接続される構成であってもよい。配線基板３は、例えば、印刷配線基板などの電気回路基板である。
【００１３】
プラグコネクタ１０は、相手コネクタおよび第１コネクタの一例であり、レセプタクルコネクタ２０は、電気コネクタおよび第２コネクタの一例である。なお、図面において、同軸ケーブル２は、便宜上、一部のみを示しており、残りの部分との境界を切断面として示している。
【００１４】
また、以下においては、説明の便宜上、レセプタクルコネクタ２０に対してプラグコネクタ１０を挿入する方向（Ｚ軸負方向）を「下方向」とし、その逆方向である抜去方向（Ｚ軸正方向）を「上方向」とする。また、プラグコネクタ１０およびレセプタクルコネクタ２０の長手方向（Ｘ軸正負方向）を「左右方向」とする。また、プラグコネクタ１０およびレセプタクルコネクタ２０の短手方向（Ｙ軸正負方向）を「前後方向」とする。
【００１５】
コネクタ装置１では、プラグコネクタ１０とレセプタクルコネクタ２０との嵌合によって、プラグコネクタ１０における後述する導電性の複数のコンタクト１２（図４参照）がレセプタクルコネクタ２０のハウジング２１に配列された導電性の複数のコンタクト２２に電気的に接続される。これにより、同軸ケーブル２の後述する中心導体２ａ（図６参照）と配線基板３の主面Ｍに形成された不図示の信号導電路とがコンタクト１２，２２を介して電気的に接続される。
【００１６】
プラグコネクタ１０がレセプタクルコネクタ２０に嵌合されると、プラグコネクタ１０における導電性のシェル１４と、レセプタクルコネクタ２０における導電性のシェル２３とによって、上述した複数のコンタクト１２と複数のコンタクト２２とが覆われる。シェル１４，２３は、グランドに接続されるグランド部材であり、かかるシェル１４，２３によって、シールド機能をコネクタ装置１に持たせることができる。
【００１７】
また、レセプタクルコネクタ２０のシェル２３には、配線基板３の主面Ｍに沿った方向であって複数のコンタクト２２の配列方向と直交する方向である前後方向において複数のコンタクト２２を介して互いに対向する前壁部２４と後壁部２５とを有する。かかる前壁部２４および後壁部２５の各々は、プラグコネクタ１０のグランド部材に接触する。
【００１８】
具体的には、後壁部２５は、プラグコネクタ１０の導電部材１３（図６参照）に接触し、前壁部２４は、プラグコネクタ１０のシェル１４に接触する。これにより、コネクタ装置１におけるシールド機能をさらに向上させることができる。なお、シェル１４および導電部材１３は、グランド部材の一例である。シェル１４と導電部材１３とは別体であるが、シェル１４と導電部材１３とは一体に形成されていてもよい。
【００１９】
＜２．プラグコネクタ１０の構成＞
次に、図３〜図７を参照して実施形態に係るプラグコネクタ１０の構成について説明する。図３に示すように、プラグコネクタ１０は、複数の同軸ケーブル２の一端部に接続される。同軸ケーブル２は、図６および図７に示すように、中心導体（信号線）２ａ（第１信号導電路の一例）の外周側に、誘電体２ｂ、外側導体（シールド線）２ｃ（第１グランド導電路の一例）、および外周被覆材２ｄが順に積層されて形成される。
【００２０】
同軸ケーブル２の一端部は、図６および図７に示すように、先端側から中心導体２ａ、誘電体２ｂ、および外側導体２ｃが順次露出している。かかる露出部分のうち外側導体２ｃが導電性の薄板部材で構成された一対のグランドバー４に挟持されることで、複数の同軸ケーブル２がグランドバー４に取り付けられる。
【００２１】
プラグコネクタ１０は、図４に示すように、絶縁性のハウジング１１（第１ハウジングの一例）と、ハウジング１１に配列される導電性の複数のコンタクト１２（第１コンタクトの一例）と、一対のグランドバー４のうち下方のグランドバー４に接触する導電部材１３と、複数のコンタクト１２が配列されたハウジング１１の外表面を覆い、一対のグランドバーのうち上方のグランドバー４に接触する導電性のシェル１４とを備える。
【００２２】
コンタクト１２の間、コンタクト１２と導電部材１３との間、およびコンタクト１２とシェル１４との間の各々は、ハウジング１１によって絶縁される。コンタクト１２、導電部材１３、およびシェル１４は、例えば、一つの金属板に打抜き加工や折曲げ加工を施すことによって各々形成される。
【００２３】
ハウジング１１は、図４に示すように、Ｘ軸正負方向（左右方向）を長手方向とする基部１１１と、基部１１１からＸ軸正方向に突出する突出部１１２と、基部１１１からＸ軸負方向に突出する突出部１１３と、基部１１１から下方に各々突出しＸ軸正負方向（左右方向）に延伸する断面略Ｕ字状の突出部１１４，１１５とを備える。突出部１１４，１１５は、図６に示すように、前後方向に互いに間隔を空けて配置される。
【００２４】
複数のコンタクト１２は、図４に示すように、左右方向に間隔を空けて配列され、例えば、インサート成形によってハウジング１１に固定される。これら複数のコンタクト１２は、図６に示すように、ハウジング１１の基部１１１から突出部１１４にかけて配置される。各コンタクト１２は、基端部１２１がハウジング１１における基部１１１の上面から露出しており、かかる基端部１２１が同軸ケーブル２の中心導体２ａに半田付けなどによって接続される。また、各コンタクト１２は、先端部１２２が突出部１１４から露出している。
【００２５】
導電部材１３は、図４に示すように、突出部１１５の後方を覆うようにハウジング１１に配置される。かかる導電部材１３は、例えば、インサート成形によってハウジング１１に固定される。導電部材１３は、図６に示すように、左右方向を長手方向としグランドバー４に接触する基部１３１と、基部１３１から下方へ延伸するＪ字状の突出部１３２とを含む。かかる突出部１３２は、ハウジング１１の突出部１１５に配置される。
【００２６】
シェル１４は、同軸ケーブル２の一端部がプラグコネクタ１０に配置された状態のハウジング１１の上方を覆うカバー上部１４１と、同軸ケーブル２の一端部がプラグコネクタ１０に配置された状態のハウジング１１の前方を覆うカバー前部１４２とを有する。カバー上部１４１には、図３に示すように、複数の開口１４１ａが形成されている。かかる複数の開口１４１ａの縁には舌片が形成されており、舌片とグランドバー４とが半田１５によって接続される。なお、図３では、半田１５を図示していない。
【００２７】
また、シェル１４は、図３に示すように、カバー上部１４１のＸ軸正方向の端部から外方に突出する側方突出部１４３と、カバー上部１４１のＸ軸負方向の端部から外方に突出する側方突出部１４４とを有する。側方突出部１４３の先端部１４３ａは、図４に示すように、ハウジング１１の突出部１１２に形成された係合凹部１１２ａに係合されることでハウジング１１に固定される。側方突出部１４４の先端部１４４ａは、図３に示すように、ハウジング１１の突出部１１３に形成された係合凹部１１３ａに係合されることでハウジング１１に固定される。
【００２８】
＜３．レセプタクルコネクタ２０の構成＞
次に、図８〜図１２を参照して実施形態に係るレセプタクルコネクタ２０の構成について説明する。図８に示すように、レセプタクルコネクタ２０は、絶縁性のハウジング２１（第２ハウジングの一例）と、導電性の複数のコンタクト２２（第２コンタクトの一例）と、ハウジング２１に取り付けられた導電性のシェル２３とを備える。コンタクト２２およびシェル２３は、例えば、一つの金属板に打抜き加工や折曲げ加工を施すことによって各々形成される。
【００２９】
ハウジング２１は、図８および図１２に示すように、基部２１１と、前壁部２１２と、後壁部２１３と、中央壁部２１４と、側壁部２１５，２１６とを備える。前壁部２１２、後壁部２１３、中央壁部２１４、側壁部２１５、および側壁部２１６は、基部２１１から上方に突出する。
【００３０】
前壁部２１２、後壁部２１３、および中央壁部２１４は、左右方向に各々延伸しており、前後方向に互いに間隔を空けて配置される。中央壁部２１４には、図８に示すように、複数のコンタクト２２が左右方向に間隔を空けて配列される。複数のコンタクト２２は、図１１に示すように、圧入により中央壁部２１４に配置される。
【００３１】
前壁部２１２と中央壁部２１４との間には、図１１および図１２に示すように、プラグコネクタ１０の突出部１１４（図６参照）が収容される収容凹部２８が形成される。また、中央壁部２１４と後壁部２１３との間には、プラグコネクタ１０の突出部１１５（図６参照）が収容される収容凹部２９が形成される。
【００３２】
コンタクト２２は、図１１に示すように、ハウジング２１の前壁部２１２に中途部２２２が支持され、自由端である一端部２２１が弾性変形可能である。コンタクト２２の一端部２２１は、中央壁部２１４に配置され、かかる一端部２２１には、プラグコネクタ１０のコンタクト１２と接触する接触部２２１ａが形成される。接触部２２１ａは、図１１に示す状態では、中央壁部２１４から前方に突出し、収容凹部２８に配置される。また、コンタクト２２の他端部２２３は、前壁部２１２の下方に配置され、配線基板３（図１参照）に形成される不図示の信号導電路（第２信号導電路の一例）に半田付けなどによって電気的に接続される。
【００３３】
シェル２３は、図８，図９および図１１に示すように、ハウジング２１における前壁部２１２の前方に前壁部２１２と間隔を空けて配置される前壁部２４と、ハウジング２１の後壁部２１３に取り付けられ、後壁部２１３を覆う後壁部２５とを備える。また、シェル２３は、ハウジング２１の側壁部２１５に取り付けられ、側壁部２１５を覆う側壁部２６と、ハウジング２１の側壁部２１６に取り付けられ、側壁部２１６を覆う側壁部２７とを備える。
【００３４】
シェル２３の前壁部２４は、図９および図１１に示すように、第１側板３１と、複数の連結部３２と、第２側板３３とを有する。第１側板３１は、一端が配線基板３における不図示のグランド導電路に取り付けられ且つ一端から他端に向けて配線基板３から離れる方向（上方）に延伸する。複数の連結部３２は、一端が第１側板３１の他端に連結され、他端が第２側板３３の一端に連結される。第２側板３３は、一端から他端に向けて配線基板３に近づく方向（下方）に延伸し、他端が自由端である。
【００３５】
第１側板３１は、図８に示すように、配線基板３における不図示のグランド導電路（第２グランド導電路の一例）に取り付けられるグランド接続部３１１と、グランド接続部３１１に連続し配線基板３から離れる方向（上方）に延伸する延伸部３１２と、連結部３２の一端寄りの位置であって後壁部２５へ向かう方向である後方へ凹んだ凹部３１３と、切欠き部３１４とを有する。
【００３６】
第２側板３３は、図９および図１１に示すように、一端が連結部３２の他端に連結され且つ一端から他端に向けて配線基板３に近づく方向（下方）に延伸し、他端が自由端である延伸部３３１を有する。図１１に示す例では、延伸部３３１は、後方斜め下方に延伸している。なお、延伸部３３１の一端は、第２側板３３の上述した一端であり、延伸部３３１の他端は、第２側板３３の上述した他端でもある。
【００３７】
また、第２側板３３は、図８および図１２に示すように、延伸部３３１の他端寄りの位置で基端が延伸部３３１に連結され、延伸部３３１に片持ち支持される複数の接触片３３２を有する。各接触片３３２は、略Ｌ字状に形成されており、図８に示すように、切欠き部３１４を介して先端部分が前方へ突出している。また、複数の接触片３３２は、図９に示すように、間隔を空けて第２側板３３に複数形成される。
【００３８】
接触片３３２は、図１２に示すように、一端が延伸部３３１のうち延伸部３３１の他端寄りの位置に連結される接触片延伸部３３２ａと、接触片延伸部３３２ａの他端に連結され、プラグコネクタ１０のシェル１４に接触する接触部３３２ｂとを有する。接触片延伸部３３２ａは、一端から他端に向けて配線基板３から離れる方向（上方）に延伸する。図１２に示す例では、接触片延伸部３３２ａは、他端寄りの位置に接触部３３２ｂを形成するための屈曲部を有しており、延伸部３３１の他端寄り位置から前方斜め上方に延伸した後、前方斜め下方に延伸している。
【００３９】
接触部３３２ｂは、図１１に示すように、配線基板３の主面Ｍ（図１参照）と直交する方向である上下方向において接触片３３２のうち連結部３２の一端寄り（上端寄り）に配置される。また、接触部３３２ｂは、配線基板３の主面Ｍに沿った方向であってコンタクト２２の配列方向と直交する方向である前後方向において第２側板３３のうち第１側板３１寄り（外方寄り）の位置に配置される。
【００４０】
シェル２３の後壁部２５は、図１１に示すように、第１側板４１と、連結部４２と、第２側板４３と、接触片４４とを有する。第１側板４１は、一端が配線基板３における不図示のグランド導電路に取り付けられ、一端から他端に向けて配線基板３から離れる方向（上方）に延伸する。連結部４２は、一端が第１側板４１の他端に連結され、他端が第２側板４３の一端に連結される。第２側板４３は、一端から他端に向けて配線基板３に近づく方向（下方）に延伸する。
【００４１】
接触片４４は、図１２に示すように、一端が連結部４２の他端に連結され、一端から他端に向けて配線基板３に近づく方向（下方）に延伸する。図１２に示す例では、接触片４４は、前方斜め下方に延伸している。かかる接触片４４は、連結部４２に片持ち支持されており、他端が自由端になっている。接触片４４は、図１２に示すように、接触片４４の他端に、導電部材１３の突出部１３２（図６参照）に接触する接触部４４ａが配置される。接触片４４は、図１１に示す状態では、後壁部２１３から前方に突出し、収容凹部２９に配置される。
【００４２】
＜４．プラグコネクタ１０とレセプタクルコネクタ２０との嵌合状態＞
次に、プラグコネクタ１０とレセプタクルコネクタ２０との嵌合状態について、図６および図１２〜図１５を参照して具体的に説明する。
【００４３】
プラグコネクタ１０をレセプタクルコネクタ２０に挿入することによって、プラグコネクタ１０とレセプタクルコネクタ２０とが嵌合状態になる。プラグコネクタ１０のレセプタクルコネクタ２０への挿入は、プラグコネクタ１０の突出部１１４（図６参照）をレセプタクルコネクタ２０の収容凹部２８（図１２参照）に挿入し、かつプラグコネクタ１０の突出部１１５（図６参照）をレセプタクルコネクタ２０の収容凹部２９（図１２参照）に挿入することによって行われる。
【００４４】
プラグコネクタ１０とレセプタクルコネクタ２０とが嵌合状態である場合、プラグコネクタ１０における導電性の複数のコンタクト１２がレセプタクルコネクタ２０における導電性の複数のコンタクト２２に電気的に接続される。具体的には、コンタクト１２の先端部１２２がコンタクト２２の接触部２２１ａに接触することで、コンタクト１２とコンタクト２２とが電気的に接続される。
【００４５】
コンタクト１２の基端部１２１には、同軸ケーブル２の中心導体２ａが半田付けなどによって接続されており、コンタクト２２の他端部２２３は、配線基板３に形成された不図示の信号導体路に接続される。そのため、プラグコネクタ１０とレセプタクルコネクタ２０とが嵌合状態である場合、同軸ケーブル２の中心導体２ａと配線基板３の信号導電路とが電気的に接続される。
【００４６】
また、プラグコネクタ１０とレセプタクルコネクタ２０とが嵌合状態である場合、図１５に示すように、プラグコネクタ１０における導電部材１３の突出部１３２がシェル２３における後壁部２５の接触片４４に接触する。導電部材１３の基部１３１は、グランドバー４を介して同軸ケーブル２の外側導体２ｃに接続され、後壁部２５の第１側板４１の一端は、配線基板３に形成された不図示のグランド導電路に半田付けなどによって接続される。
【００４７】
そのため、同軸ケーブル２の外側導体２ｃがグランドバー４および導電部材１３を介して配線基板３に形成された不図示のグランド導電路に電気的に接続される。また、同軸ケーブル２の外側導体２ｃは、グランドバー４および不図示の半田を介してプラグコネクタ１０のシェル１４に電気的に接続される。
【００４８】
このように、シェル１４とシェル２３とが電気的に接続される。コンタクト１２，２２は、電気的に接続されたシェル１４，２３および導電部材１３によって囲まれており、これにより、コネクタ装置１におけるシールド機能が実現される。
【００４９】
さらに、プラグコネクタ１０とレセプタクルコネクタ２０とが嵌合状態である場合、図１５に示すように、第２側板３３における接触片３３２の接触部３３２ｂがシェル１４のカバー前部１４２に接触する。第２側板３３は、図１４に示すように連結部３２を介して第１側板３１に連結されており、第１側板３１の一端部は、配線基板３に形成された不図示のグランド導電路に半田付けなどによって接続される。
【００５０】
そのため、シェル１４のカバー前部１４２がシェル２３の前壁部２４を介して配線基板３に形成された不図示のグランド導電路に電気的に接続される。これにより、シェル１４は、配線基板３に形成された不図示のグランド導電路への導電路として、導電部材１３および後壁部２５を通る経路に加え、シェル１４および前壁部２４を通る経路が加わる。そのため、コネクタ装置１は、シェル１４のシールド機能を高めることができ、前壁部２４がない場合や前壁部２４がシェル１４と接触しない場合に比べて、シールド機能の更なる向上を図ることができる。
【００５１】
また、接触片３３２は、図１２に示すように、第２側板３３に形成されるため、例えば、連結部３２から外方に突出させる場合に比べ、ばね長を確保しやすい。そのため、コネクタ装置１の小型化および低背化を図ることができる。また、接触片３３２の一端は、第２側板３３の他端寄り（下端寄り）の位置に基端が連結されるため、接触片３３２のばね長がより確保しやすくなる。
【００５２】
また、第２側板３３は、図１２に示すように、第１側板３１とハウジング２１の前壁部２１２との間に配置される。そのため、第２側板３３が第１側板３１よりも前方に位置する場合に比べ、コネクタ装置１における前後方向の長さを抑えることができ、コネクタ装置１の小型化を図ることができる。
【００５３】
また、接触片３３２は、図１５に示すように、前後方向において第１側板３１寄りの位置でプラグコネクタ１０のシェル１４に接触する接触部３３２ｂを有する。これによっても接触片３３２のばね長がより確保しやすくなる。
【００５４】
接触部３３２ｂは、上下方向において接触片３３２のうち連結部３２の一端寄り（上端寄り）に配置される。これにより、接触部３３２ｂを連結部３２の他端寄り（下端寄り）に配置し、連結部３２の他端寄りの位置で接触部３３２ｂをシェル１４に接触させる場合に比べ、接触片３３２のばね長がより確保しやすくなる。さらに、上下方向において、接触部３３２ｂを連結部３２の一端寄り（上端寄り）に配置することで、プラグコネクタ１０とレセプタクルコネクタ２０とが嵌合する際、接触部３３２ｂとシェル１４（カバー前部１４２）が摺動しながら嵌合する距離（所謂、有効嵌合長）も長くすることができる。
【００５５】
また、第１側板３１は、図１４に示すように、上下方向における連結部３２の一端寄りの位置であってプラグコネクタ１０におけるシェル１４のカバー前部１４２と対向する位置に凹部３１３を有する。かかる凹部３１３は、後壁部２５に向かう方向である後方に凹んでいる。
【００５６】
そのため、図１４に示すように、前後方向においてカバー前部１４２の位置を前壁部２４の延伸部３１２の位置とほぼ同等の位置にすることができる。これにより、コネクタ装置１における前後方向の長さを抑えることができ、コネクタ装置１の小型化を図ることができる。
【００５７】
ところで、従来のように、第１側板３１を切欠いて接触片を設ける場合、かかる接触片のばね長を確保しようとすると、第１側板３１の一端寄りの位置から他端にかけて第１側板３１を長く切欠く必要がある。この場合、第１側板３１の上下方向の長さが長くなり、シェル２３の上下方向の長さが長くなる。また、第１側板３１における切欠き部分が上下方向に長くなるため、かかる切欠き部分から電磁波が漏れ、シェル２３によるシールド機能が低下してしまう。
【００５８】
本実施形態に係るコネクタ装置１における接触片３３２は、第１側板３１に連結部３２を介して連結される第２側板３３に形成される。これにより、第１側板３１の切欠き部３１４は、上下方向における連結部３２の一端寄りの位置にある接触部３３２ｂが接触しない大きさでよい。
【００５９】
そのため、従来のように、第１側板３１に接触片を設ける場合に比べて、図１６に示すように、第１側板３１の切欠き部３１４の上下方向の長さを短くすることができ、切欠き部３１４のうちシェル１４のカバー前部１４２に覆われていない部分を小さくすることができる。なお、切欠き部３１４のうちシェル１４のカバー前部１４２に覆われていない部分の大きさは、コンタクト１２，２２によって伝送される信号の周波数と同一周波数を有する電磁波を通過させない大きさであり、これにより、シールド機能の低下を抑制することができる。
【００６０】
なお、図８に示す例では、切欠き部３１４は、上下方向において、延伸部３１２に対応する位置から連結部３２に対応する位置まで形成されているが、上下方向において、凹部３１３に対応する位置から連結部３２に対応する位置まで形成される構成であってもよい。これにより、切欠き部３１４をシェル１４のカバー前部１４２で覆うことができる。
【００６１】
また、図１５に示すように、プラグコネクタ１０とレセプタクルコネクタ２０とが嵌合状態である場合、導電部材１３における突出部１３２は、後壁部２５の前方に位置し、シェル１４におけるカバー前部１４２は、前壁部２４における接触片３３２の前方に位置する。このときの接触片３３２は十分なばね長を持ってカバー前部１４２に接触している。そのため、プラグコネクタ１０をレセプタクルコネクタ２０から抜去する過程で、レセプタクルコネクタ２０に対してプラグコネクタ１０が傾いた状態になった場合においても、接触片３３２が塑性変形することを防止することができる。
【００６２】
例えば、プラグコネクタ１０に接続された同軸ケーブル２が把持されて上方に持ち上げられた場合、プラグコネクタ１０は、カバー前部１４２の周辺を支点として突出部１１５寄りの後方が高くなるように傾く。この場合、プラグコネクタ１０におけるシェル１４のカバー前部１４２は、接触片３３２の接触部３３２ｂから離れる方向に移動する。そのため、カバー前部１４２が接触片３３２の後方に位置する場合に比べ、接触片３３２に大きな力が働くことを防止することができる。
【００６３】
また、プラグコネクタ１０は、プラグコネクタ１０をレセプタクルコネクタ２０から抜去する過程で、プラグコネクタ１０の前方が持ち上げられた場合、突出部１１５の周辺を支点としてカバー前部１４２寄りの前方が高くなるように傾く。この場合、プラグコネクタ１０におけるシェル１４のカバー前部１４２は、接触片３３２の接触部３３２ｂから離れる方向に移動する。そのため、カバー前部１４２が接触片３３２の後方に位置する場合に比べ、接触片３３２に大きな力が働くことを防止することができる。
【００６４】
また、接触片３３２は、図８に示すように、切欠き部３１４から前方に突出するように配置される。そのため、シェル１４のカバー前部１４２が後方へ移動した場合であっても、カバー前部１４２は、凹部３１３へ当接することになり、それ以上の移動を規制することができる。そのため、これによっても、接触片３３２に大きな力が働くことを防止することができる。
【００６５】
以上のように、実施形態に係るレセプタクルコネクタ２０は、配線基板３に取り付けられ、複数の同軸ケーブル２の端部に接続されるプラグコネクタ１０と嵌合する電気コネクタである。複数の同軸ケーブル２は、信号伝送媒体の一例であり、プラグコネクタ１０は相手コネクタの一例である。レセプタクルコネクタ２０は、絶縁性を有するハウジング２１と、ハウジング２１に配列される導電性の複数のコンタクト２２と、導電性のシェル２３とを備える。シェル２３は、配線基板３の主面Ｍに沿った方向であって複数のコンタクト２２の配列方向と直交する方向において複数のコンタクト２２を介して互いに対向し且つプラグコネクタ１０における導電性の導電部材１３およびシェル１４に接触する前壁部２４および後壁部２５を有する。前壁部２４および後壁部２５は、一対の壁部の一例である。前壁部２４は、一方の壁部の一例である。導電部材１３およびシェル１４は、グランド部材の一例である。前壁部２４は、一端が配線基板３のグランド導電路に取り付けられ且つ一端から他端に向けて配線基板３から離れる方向に延伸する第１側板３１と、一端が第１側板３１の他端に連結される連結部３２と、一端が連結部３２の他端に連結され且つ一端から他端に向けて配線基板３に近づく方向に延伸し、他端が自由端である第２側板３３とを備える。そして、第２側板３３は、配線基板３から離れる方向に延伸し、プラグコネクタ１０のシェル１４に弾性接触する接触片３３２を有する。これにより、実施形態に係るレセプタクルコネクタ２０は、シールド機能の更なる向上を図ることができる。
【００６６】
また、第２側板３３は、一端が連結部３２の他端に連結され且つ一端から他端に向けて配線基板３に近づく方向に延伸し、他端が自由端である延伸部３３１を有する。接触片３３２は、一端が延伸部３３１のうち延伸部３３１の他端寄りの位置に連結され且つ一端から他端に向けて配線基板３から離れる方向に延伸する。これにより、例えば、連結部３２から突出させる場合に比べ、ばね長を確保しやすくなる。
【００６７】
また、第２側板３３は、第１側板３１とハウジング２１との間に配置される。第２側板３３が第１側板３１よりも前方に位置する場合に比べ、コネクタ装置１における前後方向の長さを抑えることができ、コネクタ装置１の小型化を図ることができる。
【００６８】
また、接触片３３２は、配線基板３の主面Ｍに沿った方向且つコンタクト２２の配列方向と直交する方向において第１側板３１寄りの位置でプラグコネクタ１０のシェル１４に接触する接触部３３２ｂを有する。これにより、接触片３３２のばね長がより確保しやすくなる。
【００６９】
また、接触部３３２ｂは、配線基板３の主面Ｍと直交する方向において接触片３３２のうち連結部３２の一端寄りに配置される。これにより、接触片３３２のばね長がより確保しやすくなる。
【００７０】
また、第１側板３１は、配線基板３の主面Ｍと直交する方向における連結部３２の一端寄りの位置であってプラグコネクタ１０のシェル１４のカバー前部１４２と対向する位置に凹部３１３を有し、かかる凹部３１３は、後壁部２５に向かう方向に凹んでいる。これにより、コネクタ装置１の小型化を図ることができる。後壁部２５は、他方の壁部の一例である。
【００７１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７２】
１  コネクタ装置
２  同軸ケーブル
３  配線基板
１０  プラグコネクタ
１３  導電部材（グランド部材）
１４  シェル（グランド部材）
２０  レセプタクルコネクタ
２１  ハウジング
２２  コンタクト
２３  シェル
２４  前壁部
２５  後壁部
３１  第１側板
３２  連結部
３３  第２側板
１４２  カバー前部
３１３  凹部
３３１  延伸部
３３２  接触片
３３２ｂ  接触部
Ｍ  主面
【図１】
2020107579.tif 000003
【図２】
2020107579.tif 000004
【図３】
2020107579.tif 000005
【図４】
2020107579.tif 000006
【図５】
2020107579.tif 000007
【図６】
2020107579.tif 000008
【図７】
2020107579.tif 000009
【図８】
2020107579.tif 000010
【図９】
2020107579.tif 000011
【図１０】
2020107579.tif 000012
【図１１】
2020107579.tif 000013
【図１２】
2020107579.tif 000014
【図１３】
2020107579.tif 000015
【図１４】
2020107579.tif 000016
【図１５】
2020107579.tif 000017
【図１６】
2020107579.tif 000018